(57)【要約】【課題】会員が施設を利用しない場合に買い取りを可能にし、会員にとって施設利用会員権の購入費や会費の無駄をなくすようにする。【解決手段】施設利用管理装置１は、施設を年間の所定日数につき利用可能な会員の情報を記憶する記憶部１６と、記憶部１６からの情報に基づいて施設の利用状況を管理する利用状況管理部１２、施設を未利用の場合に会員の会員端末に買取希望の問い合せ情報を送信する一方、会員端末からは買取希望の回答情報を受信する買取希望情報送受信部１３と、を備える。【選択図】図２
2019204406.tif 000002
【特許請求の範囲】
【請求項１】
施設を年間の所定日数につき利用可能な会員の情報を記憶する記憶部と、
前記記憶部からの情報に基づいて前記施設の利用状況を管理する利用状況管理部と、
前記施設を未利用の場合に前記会員の会員端末に買取希望の問い合せ情報を送信する一方、前記会員端末からは前記買取希望の回答情報を受信する買取希望情報送受信部と、
を備えることを特徴とする施設利用管理装置。
【請求項２】
施設を年間の所定日数につき利用可能な会員の情報を記憶する記憶部と、
前記記憶部からの情報に基づいて前記施設の利用状況を管理し、当該施設の未利用日数に基づいた買取価格を設定する利用状況管理部と、
前記施設の未利用日数分の買取希望の問い合せ情報を前記会員の会員端末に送信する一方、前記会員端末からは前記買取希望の回答情報を受信する買取希望情報送受信部と、
を備えることを特徴とする施設利用管理装置。
【請求項３】
前記会員になるための申込みを受け付ける受付部をさらに備え、この受付部から前記記憶部に会員として記憶させるように構成したことを特徴とする請求項１又は２に記載の施設利用管理装置。
【請求項４】
前記利用状況管理部は、前記施設に設置されて当該施設を利用する会員の利用状況を管理する施設管理サーバにアクセス可能に構成したことを特徴とする請求項１乃至３のいずれか一項に記載の施設利用管理装置。
【請求項５】
前記買取希望情報送受信部が前記会員端末から前記買取希望の回答情報を受信した場合、前記施設の利用を市場に対して売り注文を発する売買処理部をさらに備えることを特徴とする請求項１乃至４のいずれか一項に記載の施設利用管理装置。
【請求項６】
コンピュータを、請求項１乃至５のいずれか一項に記載の施設利用管理装置として機能させることを特徴とするプログラム。
【発明の詳細な説明】
【技術分野】
【０００１】
本発明は、宿泊施設等の施設の利用状況を管理する施設利用管理装置、プログラムに関する。
【背景技術】
【０００２】
従来、施設の利用状況を管理する施設利用管理装置としては、例えば特許文献１に開示された空席管理装置がある。この空席管理装置は、利用者に供される施設の空席情報を管理する装置であって、利用者が参照する表示装置に施設の空席情報を配信する配信手段と、第１の利用者による施設の利用待機を検知する検知手段と、施設が満席であって且つ利用待機が検知された場合、第２の利用者が利用中の施設に設置された通知端末に、第１の利用者を含む待機者に関する情報を通知する。
【０００３】
この空席管理装置では、利用者に供される施設や設備の混雑時、利用者に対して施設や設備の迅速な利用を促して、効果的に混雑解消を図るようにしている。
【先行技術文献】
【特許文献】
【０００４】
【特許文献１】特許第６１８８１８２号公報
【発明の概要】
【発明が解決しようとする課題】
【０００５】
ところで、施設の利用状況を管理する施設利用管理装置では、施設を利用可能とした施設利用会員権を販売し、その施設利用会員権を購入することで会員になれるようにしたシステムがある。また、施設を利用可能とする会費を支払うことで、会員になれるようにしたシステムもある。
【０００６】
このようなシステムでは、会員が施設を全く利用しない場合、また利用したとしても利用可能な日数に達していない場合、会員にとって施設利用会員権の購入費用や会費が無駄になるという課題があった。
【０００７】
本発明は、上記課題を解決するべくなされたものであり、会員が施設を利用しない場合、あるいは利用可能な日数に達していない場合、会員にとって施設利用会員権の購入費や会費の無駄をなくした施設利用管理装置、プログラムを提供することを目的とする。
【課題を解決するための手段】
【０００８】
かかる課題を達成するために、請求項１に係る発明は、施設を年間の所定日数につき利用可能な会員の情報を記憶する記憶部と、前記記憶部からの情報に基づいて前記施設の利用状況を管理する利用状況管理部と、前記施設を未利用の場合に前記会員の会員端末に買取希望の問い合せ情報を送信する一方、前記会員端末からは前記買取希望の回答情報を受信する買取希望情報送受信部と、を備えることを特徴とする。
【０００９】
請求項２に係る発明は、施設を年間の所定日数につき利用可能な会員の情報を記憶する記憶部と、前記記憶部からの情報に基づいて前記施設の利用状況を管理し、当該施設の未利用日数に基づいた買取価格を設定する利用状況管理部と、前記施設の未利用日数分の買取希望の問い合せ情報を前記会員の会員端末に送信する一方、前記会員端末からは前記買取希望の回答情報を受信する買取希望情報送受信部と、を備えることを特徴とする。
【００１０】
請求項３に係る発明は、請求項１又は２に記載の構成に加え、前記会員になるための申込みを受け付ける受付部をさらに備え、この受付部から前記記憶部に会員として記憶させるように構成したことを特徴とする。
【００１１】
請求項４に係る発明は、請求項１乃至３のいずれか一項に記載の構成に加え、前記利用状況管理部は、前記施設に設置されて当該施設を利用する会員の利用状況を管理する施設管理サーバにアクセス可能に構成したことを特徴とする。
【００１２】
請求項５に係る発明は、請求項１乃至４のいずれか一項に記載の構成に加え、前記買取希望情報送受信部が前記会員端末から前記買取希望の回答情報を受信した場合、前記施設の利用を市場に対して売り注文を発する売買処理部をさらに備えることを特徴とする。
【００１３】
請求項６に係る発明は、プログラムであって、コンピュータを、請求項１乃至５のいずれか一項に記載の施設利用管理装置として機能させることを特徴とする。
【発明の効果】
【００１４】
請求項１に記載の発明によれば、買取希望情報送受信部は、施設を未利用の場合に会員の会員端末に買取希望の問い合せ情報を送信する一方、会員端末からは買取希望の回答情報を受信することにより、会員が宿泊施設を利用しない場合、買い取りを可能にすることで、会員にとって施設の施設利用会員権の購入費や会費の無駄をなくすことが可能になる。
【００１５】
請求項２に記載の発明によれば、施設の未利用日数分の買取希望の問い合せ情報を会員の会員端末に送信する一方、会員端末からは買取希望の回答情報を受信するようにしたので、会員が施設を利用可能な日数に達していない場合、その未利用日数分の買い取りを可能にすることで、会員にとって施設利用会員権の購入費や会費の無駄を一段となくすことが可能となる。
【００１６】
請求項３に記載の発明によれば、会員になるための申込みを受け付ける受付部をさらに備え、この受付部から記憶部に会員として記憶させるように構成したことにより、会員になるための受付処理を簡素化することができる。
【００１７】
請求項４に記載の発明によれば、利用状況管理部は、施設に設置されて当該施設を利用する会員の利用状況を管理する施設管理サーバにアクセス可能に構成したことにより、施設を利用する会員の利用状況をリアルタイムで把握することができる。
【００１８】
請求項５に記載の発明によれば、買取希望情報送受信部が会員端末から買取希望の回答情報を受信した場合、施設の利用を市場に対して売り注文を発する売買処理部をさらに備えることで、その施設を一般需要者に利用させることで、施設の有効利用を図ることが可能になる。
【００１９】
請求項６に記載の発明によれば、本発明に係る施設利用管理装置をソフトウェア化し、多様なハードウェア上で本発明を実現することができる。
【図面の簡単な説明】
【００２０】
【図１】本発明の一実施形態に係る通信ネットワーク構成を示す概念図である。
【図２】本発明の一実施形態に係る施設利用管理装置の機能構成を概念的に示すブロック図である。
【図３】本発明の一実施形態に係る施設利用管理装置の処理手順を示すフローチャートである。
【図４】一実施形態において施設利用会員権を購入した会員の情報を表示する画面の一例を示す説明図である。
【図５】一実施形態において買取申請者の一覧表の一例を示す説明図である。
【発明を実施するための形態】
【００２１】
以下、本発明の一実施形態の施設利用管理装置について図１乃至図３を用いて説明する。図１は、本発明の一実施形態に係る通信ネットワーク構成を示す概念図である。図２は、本発明の一実施形態に係る施設利用管理装置の機能構成を概念的に示すブロック図である。なお、以下の実施形態では、施設としてホテル、旅館等の宿泊施設に適用した例について説明する。
【００２２】
（一実施形態の構成）
本実施形態の施設利用管理装置１は、ｎ台（ｎ≧１）の会員端末２１，２２，…，２ｎと、宿泊施設に設置された施設管理サーバ３と、ネットワーク４を介して相互に通信可能である。このネットワーク４は、ネットワーク装置、サーバ、ＰＣ、スマートフォン、携帯電話等、構成装置種別の如何に関わらず相互に通信可能に接続するデータ通信手段である。具体的には、例えばインターネットが考えられるが、これに限定されない。すなわち、ネットワーク４は、オープンかクローズドか等を問わずあらゆるネットワーク形態であってよいし、ＬＡＮかＷＡＮか等を問わずあらゆるネットワーク領域であってよい。
【００２３】
一般需要者が携帯電話端末等の通信端末を用いて施設利用会員権を購入した場合に会員となり、その通信端末が会員端末２１，２２，…，２ｎとなる。具体的には、会員端末２１，２２，…，２ｎは、それぞれ図示しない操作部、表示部を有する。会員端末２１，２２，…，２ｎは、データ通信機能を有する通信端末であって、パーソナルコンピュータ、いわゆるスマートフォンを含む携帯電話端末等がこれに該当する。操作部は、マウスやキーボード等各種指示を入力するために用いられる。表示部は、ＬＣＤ(Liquid Crystal Display)等からなり操作部から入力された各種指示等や各種画像を表示する。なお、操作部は、表示部上のタッチパネル機能として構成されていてもよい。
【００２４】
施設利用管理装置１は、サーバコンピュータであり、図示しないが、少なくとも１つのＣＰＵ(Central Processing Unit、中央処理装置）、及びＣＰＵの作業領域として機能するＲＡＭ(Random Access Memory)、起動用ブートプログラム等が記録されたＲＯＭ(Read
Only Memory)、各種プログラムやデータ等が記録されるハードディスク等の補助記憶装置、データの送受信に用いる通信インターフェース等が設けられている。補助記憶装置には、ＯＳ(Operating System)用プログラム、各種アプリケーションプログラム、後述するデータベースに記録されたデータ等が記録されている。これらのプログラムやデータは、ＣＰＵの演算処理により、ハードウェア資源と協働して各種機能を実現する。
【００２５】
また、施設利用管理装置１は、一台のコンピュータにより形成されていてもよいし、図示しないがネットワーク４で相互に接続された複数台のコンピュータシステムによって形成されていてもよい。
【００２６】
宿泊施設に設置された施設管理サーバ３も、サーバコンピュータである。施設管理サーバ３は、施設利用管理装置１と同様の構造であり、宿泊施設を利用する会員の利用状況を管理する。
【００２７】
施設利用管理装置１は、一般需要者が携帯電話端末等の通信端末を用いて施設利用会員権を購入する場合に受け付ける。施設利用会員権を購入した一般需要者は、施設利用会員権を有する会員となる。その会員は、ホテル、旅館等の宿泊施設を年間の所定日数につき利用可能となる。施設利用管理装置１は、宿泊施設を未利用の場合にその会員に対して買取希望の問い合せ情報を送信する一方、会員からは買取希望の回答情報を受信する。
【００２８】
上記施設利用会員権とは、ホテル、旅館等の宿泊施設の少なくとも一室を個人、法人、各種団体等の会員が年間の所定日数につき利用可能な権利である。本実施形態は、施設利用会員権を販売し、その施設利用会員権を購入した会員が年間の所定日数を利用しない場合、会員の施設利用状況を管理する施設利用管理業務を行う者（法人、個人）が買い取るようにしたシステムである。
【００２９】
上記施設利用会員権には、例えば１０年コースと２０年コースの２つのコースがある。１０年コースは、ホテルの年間４泊分の宿泊権利が１０年間継続するコースである。２０年コースは、ホテルの年間３泊分の宿泊権利が２０年間継続するコースである。これら２つのコースには、年買取りプランと月買取プランの２つのプランがある。
【００３０】
年買取プランとは、会員がその一年を通じて宿泊しない場合、１泊当たり所定金額（ドル建て）で買い取るようにしたプランであって、その買取実施間隔が年単位で行われるプランである。また、月買取プランとは、年買取プランと同様に会員がその一年を通じて宿泊しない場合、１泊当たり所定金額（ドル建て）で買い取るようにしたプランであって、その買取実施間隔が月単位で行われるプランである。
【００３１】
月買取プランは、年買取プランと比べて買取金額が例えば９０％になる。これは月買取プランが年買取プランと比べて買取実施間隔が短く、より手数がかかるためである。また、１泊当たり金額は、ドル建てのため、為替レートによって変動することになる。なお、買取金額は、ドル建てでなくてもよい。
【００３２】
施設利用管理装置１は、図２に示すように受付部１１、利用状況管理部１２、買取希望情報送受信部１３、施設管理サーバ送受信部１４、売買処理部１５、記憶部としてのデータベース１６、表示部１７、及び入力部１８を備える。
【００３３】
受付部１１は、一般需要者が携帯電話端末等の通信端末を用いて施設利用会員権を購入する場合に受け付ける。上述したように施設利用会員権を購入した一般需要者は、施設利用会員権を有する会員となる。その会員の携帯電話端末等の通信端末が上記会員端末２１，２２，…，２ｎとなる。
【００３４】
利用状況管理部１２は、データベース１６からの情報に基づいて宿泊施設の利用状況等の各種情報を管理する。
【００３５】
買取希望情報送受信部１３は、会員が宿泊施設を未利用の場合に会員の会員端末２１，２２，…，２ｎに買取希望の問い合せ情報を送信する一方、会員端末２１，２２，…，２ｎからは買取希望の回答情報を受信する。
【００３６】
施設管理サーバ送受信部１４は、宿泊施設を利用する会員の利用状況を、宿泊施設に設置されて当該宿泊施設を利用する会員の利用状況を管理するための施設管理サーバ３に対して送受信し、アクセス可能に構成する。
【００３７】
売買処理部１５は、買取希望情報送受信部１３が会員端末２１，２２，…，２ｎから買取希望の回答情報を受信した場合、宿泊施設の利用を市場に対して売り注文を発する。
【００３８】
具体的には、買取希望情報送受信部１３が会員端末２１，２２，…，２ｎから買取希望の回答情報を受信した場合、上記宿泊施設が空室状態になるため、売買処理部１５は、ネットワーク４を介して空室のある宿泊施設の空室情報を送信する一方、一般需要者から空室のある宿泊施設を利用する旨の情報をネットワーク４を介して受信する。
【００３９】
データベース１６は、商品情報記憶部１６ａと、会員情報記憶部１６ｂとを備える。商品情報記憶部１６ａは、例えば商品である施設利用会員権のコードが記憶される。このコードには、上述した１０年コース年買取、１０年コース月買取、２０年コース年買取、及び２０年コース月買取のように買取プラン区分の情報が含まれる。商品情報記憶部１６ａには、商品単位、発売開始日、発売終了日、年間利用可能日数、買取対象総数、買取単価等の商品情報が記憶されている。
【００４０】
会員情報記憶部１６ｂには、例えば施設利用会員権の証書番号、会員コード、会員名、購入日、購入コース、コース名、買取単位数（年間の宿泊権利数）、買取単価、購入口数、買取プラン等の会員情報が記憶されている。
【００４１】
表示部１７には、例えば商品情報記憶部１６ａ及び会員情報記憶部１６ｂの記憶内容等が表示される。表示部１７は、会員端末２１，２２，…，２ｎの表示部と同様に、ＬＣＤ(Liquid Crystal Display)等からなり、入力部１８から入力された各種指示等や各種画像を表示する。
【００４２】
入力部１８は、施設利用管理業務を行う者が例えば上述した商品情報の他、郵送等の通信手段を用いた場合に各種情報、毎月１日付けの為替レート情報等を入力する。入力部１８としては、例えばキーボード等が用いられる。
【００４３】
（一実施形態の作用）
次に、上記施設利用会員権の売買処理と、会員が一年を通じて宿泊施設を未利用の場合の買取処理について説明する。図３は、本発明の実施形態に係る施設利用管理装置の処理手順を示すフローチャートである。なお、図３において、ネットワーク４を介して相互に通信する場合には実線で示し、郵送等の通信手段を用いた場合には破線で示している。
【００４４】
施設利用管理業務を行う者は、施設利用管理装置１からネットワーク４を介して一般需要者に対し、その携帯電話端末等の通信端末を用いて施設利用会員権を販売する。一般需要者が通信端末を用いて施設利用会員権を申し込んで購入すると、施設利用管理装置１の受付部１１がネットワーク４を介して受け付ける一方、受付部１１は一般需要者に対して受付情報を返信する。これにより一般需要者は、施設利用会員権を有する会員となり、その会員が所有する通信端末が会員端末２１，２２，…，２ｎとなる（ステップＳ１）。すなわち、ステップＳ１は、会員になるための申込みを受け付ける受付処理である。
【００４５】
施設利用管理装置１は、データベース１６に施設利用会員権を購入した会員の情報を入力する。具体的には、施設利用管理装置１は、会員情報記憶部１６ｂに施設利用会員権の証書番号、会員コード、会員名、購入日、購入コース、コース名、買取単位数、買取単価、購入口数、買取プラン等の会員情報を記憶する（ステップＳ２）。この記憶内容が図４に示すように表示部１７の表示画面に表示される。すなわち、ステップＳ２は、会員の情報を入力する会員情報入力処理である。
【００４６】
なお、一般需要者が郵送等の通信手段を用いて施設利用会員権を購入した場合には、施設利用管理業務を行う者が入力部１８から会員情報を入力する。
【００４７】
次いで、施設利用管理装置１の利用状況管理部１２は、データベース１６の商品情報記憶部１６ａ及び会員情報記憶部１６ｂから読み出して各コース別の会員一覧表を作成する（ステップＳ３）。すなわち、ステップＳ３は、会員の情報を一覧表として出力する会員情報出力処理である。
【００４８】
さらに、ステップＳ４では、施設利用管理装置１の利用状況管理部１２は、会員の宿泊施設の利用状況をデータベース１６の会員情報記憶部１６ｂから読み出す処理を実行する（ステップＳ４）。すなわち、ステップＳ４は、会員の宿泊施設の利用状況を読み出す利用状況読出し処理である。
【００４９】
施設利用管理装置１の買取希望情報送受信部１３は、会員が宿泊施設を、年間を通じて未利用とする場合、その会員の会員端末２１，２２，…，２ｎにネットワーク４を介して買取希望の問い合せ情報を送信する（ステップＳ５）。すなわち、ステップＳ５は、会員に対して宿泊施設を、年間を通じて未利用として買取希望の問い合せを実行する買取希望問合せ処理である。
【００５０】
なお、宿泊施設を未利用とする場合であって、郵送等の通信手段を用いて施設利用会員権を購入した会員（以下、郵送対象会員ともいう。）に対しては、買取依頼書を郵送する。
【００５１】
ここで、宿泊施設を未利用とする会員が買取対象者になるため、その買取対象者は、上述したように利用状況管理部１２がデータベース１６の商品情報記憶部１６ａ及び会員情報記憶部１６ｂから読み出すことで、選出される。
【００５２】
買取希望の問い合せ情報を受信した会員は、買取希望の場合、会員端末２１，２２，…，２ｎからネットワーク４を介して買取希望の回答情報（買取指示情報）を買取希望情報送受信部１３に送信する。すると、買取希望情報送受信部１３は、その買取希望の回答情報を受信する（ステップＳ６）。すなわち、ステップＳ６は、買取希望受信処理である。
【００５３】
利用状況管理部１２は、買取希望の回答情報（買取指示情報）をデータベース１６の会員情報記憶部１６ｂに記憶させる（ステップＳ７）。すなわち、ステップＳ７は、買取指示情報記憶処理である。この場合、郵送等の通信手段を用いて施設利用会員権を購入した会員、すなわち郵送対象会員からは、買取指示書が郵送される。この買取希望の回答情報（買取指示情報）を入力部１８から入力して会員情報記憶部１６ｂに記憶させる。この買取希望者は、会員一覧表から確認する。そして、入力部１８からは、毎月１日付けの為替レート情報を入力する（ステップＳ８）。すなわち、ステップＳ８は、為替レート情報入力処理である。
【００５４】
次いで、利用状況管理部１２がデータベース１６の商品情報記憶部１６ａ及び会員情報記憶部１６ｂの記憶データを引用して買取伝票データ、会員別残数データを作成する。ここで、会員別残数データとは、宿泊施設の宿泊権利日数から未利用の日数を差し引いた会員別の日数である。
【００５５】
利用状況管理部１２は、買取伝票データ、会員別残数データに基づいて図５に示す買取申請者一覧表の他、買取精算表を作成し（ステップＳ９）、郵送対象会員に郵送する。すなわち、ステップＳ９は、買取情報出力処理である。
【００５６】
また、利用状況管理部１２は、買取伝票データ、会員別残数データに基づいて買取済み金額・買取済み数・未利用残数一覧表を作成する（ステップＳ１０）。すなわち、ステップＳ１０は、買取済み情報・残数情報出力処理である。
【００５７】
さらに、利用状況管理部１２は、買取伝票データ、会員別残数データに基づいて買取履歴情報、利用可能残数情報を作成する（ステップＳ１１）。すなわち、ステップＳ１１は、買取履歴情報、利用可能残数情報出力処理である。これらの情報は、会員が会員端末２１，２２，…，２ｎからネットワーク４を介して施設利用管理装置１にアクセスすることで閲覧可能になる（ステップＳ１２）。すなわち、ステップＳ１２は、買取履歴情報、利用可能残数情報開示処理である。
【００５８】
なお、利用状況管理部１２は、宿泊施設に設置されてその宿泊施設を利用する会員の利用状況を管理する施設管理サーバ３にアクセス可能に構成してもよい。このように構成することで、宿泊施設を管理する者が宿泊施設を利用する会員の利用状況をリアルタイムで把握することができる。
【００５９】
また、買取希望情報送受信部１３が会員端末２１，２２，…，２ｎから買取希望の回答情報を受信した場合、売買処理部１５は宿泊施設の利用を市場に対して売り注文を発することにより、その宿泊施設の空室を一般需要者に利用させることで、空室の有効利用を図ることが可能になる。
【００６０】
（一実施形態の効果）
このように本実施形態によれば、買取希望情報送受信部１３は、宿泊施設を未利用の場合に会員の会員端末２１，２２，…，２ｎに買取希望の問い合せ情報を送信する一方、会員端末２１，２２，…，２ｎからは買取希望の回答情報を受信することにより、会員が宿泊施設を利用しない場合に買い取りを可能にし、会員にとって宿泊施設の施設利用会員権の購入費や会費の無駄をなくすことが可能になる。
【００６１】
（変形例）
次に、上記一実施形態の変形例について説明する。なお、本変形例では、上記一実施形態と同一の部分に同一の符号を用いて重複する説明を省略する。
【００６２】
上記一実施形態では、買取希望情報送受信部１３は、宿泊施設を未利用の場合に会員の会員端末２１，２２，…，２ｎに買取希望の問い合せ情報を送信するようにしていた。
【００６３】
本変形例では、利用状況管理部１２が宿泊施設の未利用日数に基づいた買取価格を設定する。この買取価格情報は、データベース１６の商品情報記憶部１６ａに記憶される。買取希望情報送受信部１３は、宿泊施設の未利用日数分の買取希望の問い合せ情報を会員の会員端末２１，２２，…，２ｎに送信する一方、会員端末２１，２２，…，２ｎからは買取希望の回答情報を受信する。
【００６４】
このように本変形例によれば、宿泊施設の未利用日数分の買取希望の問い合せ情報を会員の会員端末２１，２２，…，２ｎに送信する一方、会員端末２１，２２，…，２ｎからは買取希望の回答情報を受信するようにしたので、会員が宿泊施設を利用可能な日数に達していない場合、その未利用日数分の買い取りを可能にすることで、会員にとって施設利用会員権の購入費や会費の無駄を一段となくすことが可能となる。
【００６５】
その他の構成及び作用は、前記一実施形態と同様であるので、その説明を省略する。
【００６６】
（その他の実施形態）
本発明の実施形態及び変形例を説明したが、これら実施形態及び変形例は、例として提示したものであり、発明の範囲を限定することは意図していない。これらの実施形態及び変形例は、その他の様々な形態で実施されることが可能であり、発明の要旨を逸脱しない範囲で、種々の省略、置き換え、変更、組み合わせを行うことができる。これらの実施形態やその変形例は、発明の範囲や要旨に含まれると同様に、特許請求の範囲に記載された発明とその均等の範囲に含まれるものである。
【００６７】
上記一実施形態及び変形例では、施設としてホテル、旅館等の宿泊施設に適用した場合について説明したが、これに限定することなく、例えば貸会議室、飲食店の個室、カラオケボックス、集合住宅、戸建て住宅、博物館、美術館、映画館、水族館、各種スポーツクラブ、立体駐車場、地下駐車場等の屋内建造物の他、公園、遊園地、キャンプ場、屋外駐車場、動物園等の屋外建造物等のあらゆる施設を含むものとする。つまり、会員が年間の所定日数につき利用可能とする施設であれば、いかなる施設であってもよい。
【００６８】
上記一実施形態及び変形例では、宿泊施設を年間の所定日数につき利用可能とした施設利用会員権を販売し、その施設利用会員権を購入することで会員になれるようにしたシステムに適用した例について説明したが、このシステムに限定することなく、例えば施設を利用可能とする年会費、月会費を支払うことで、会員になれるようにしたシステムについても適用可能である。
【符号の説明】
【００６９】
１……施設利用管理装置
２１，２２，…，２ｎ……会員端末
３……施設用サーバ
４……ネットワーク
１１……受付部
１２……利用状況管理部
１３……買取希望情報送受信部
１４……施設管理サーバ送受信部
１５……売買処理部
１６……データベース（記憶部）
１６ａ……商品情報記憶部
１６ｂ……会員情報記憶部
１７……表示部
１８……入力部
【図１】
2019204406.tif 000003
【図２】
2019204406.tif 000004
【図３】
2019204406.tif 000005
【図４】
2019204406.tif 000006
【図５】
2019204406.tif 000007